(57)【要約】      （修正有）【課題】入場者本人の撮影した写真や本人顔写真を野球場、サッカースタジアム等の名前と一緒に試合用ボールに印刷する。【解決手段】被印刷球体と、被印刷球体を所定の位置、姿勢で保持する保持装置と、デジタルカメラや携帯電話器に保存されているデジタル画像データを受信するデジタル画像データ受信端末と、記憶装置に保存されているデジタル背景画像と当該デジタル画像データ受信端末が受信したデジタル画像データとを合成して曲面印刷用デジタル画像データを得る画像データ合成装置と、当該曲面印刷用デジタル画像データを用いて対応するデジタル画像を被印刷球体の表面に印刷する曲面印刷機とを備えている。【選択図】図１
0003115432.tif 000002
【実用新案登録請求の範囲】
【請求項１】
被印刷球体と、被印刷球体を所定の位置、姿勢で保持する保持装置と、デジタルカメラや携帯電話器に保存されているデジタル画像データを受信するデジタル画像データ受信端末と、記憶装置に保存されているデジタル背景画像と当該デジタル画像データ受信端末が受信したデジタル画像データとを合成して曲面印刷用デジタル画像データを得る画像データ合成装置と、当該曲面印刷用デジタル画像データを用いて対応するデジタル画像を被印刷球体の表面に印刷する曲面印刷機とを備えている球体印刷装置。
【請求項２】
デジタルカメラをさらに備えた請求項１に記載の球体印刷装置。
【請求項３】
設定回数に至るまで印刷するごとに１ずつ増すカウンター数と、当該設定回数と、前記デジタル背景画像と、前記デジタル画像データと、を合成して曲面印刷用デジタル画像を得ることを特徴とする請求項１又は２に記載の球体印刷装置。
【請求項４】
年月日と、前記デジタル背景画像と、前記デジタル画像データと、を合成して曲面印刷用デジタル画像を得ることを特徴とする請求項１又は２に記載の球体印刷装置。
【考案の詳細な説明】
【技術分野】
【０００１】
本発明は、野球ボール、サッカーボール、バスケットボール、バレーボール、ラグビーボール、アメリカンフットボールなどの球体に印刷する球体印刷装置に関する。
【考案の開示】
【考案が解決しようとする課題】
【０００２】
野球場、サッカースタジアム、バスケット競技場、バレーボール会場やその周辺で従来販売されていた記念品のボールは試合に用いられるのと同品質でなく、予め多量に製造されていた。そのため、外観が安っぽく、また、野球場などへ入場した日時などを裏付ける臨場性や瞬間性がまったく欠けていた。
【０００３】
言い換えるならば、観客が決定的な瞬間に立ち会ったことを記念として形に残したいと思っても、従来であればチケットや個人で撮影した写真しかなかった。試合からかなり時間をおいて大量に生産された記念ボールを入手しても、既にその試合場での臨場感は失われているし、その記念ボールを持つことが、当人が試合を観戦したという事実の裏づけとなるものではなかった。
【０００４】
また、入場者本人の撮影した写真や本人顔写真を試合用ボールに野球場、サッカースタジアム等において、印刷することができなかった。
【課題を解決するための手段】
【０００５】
上記課題は、請求項１に記載の考案に係る球体印刷装置、すなわち、被印刷球体と、被印刷球体を所定の位置、姿勢で保持する保持装置と、デジタルカメラや携帯電話器に保存されているデジタル画像データを受信するデジタル画像データ受信端末と、記憶装置に保存されているデジタル背景画像と当該デジタル画像データ受信端末が受信したデジタル画像データとを合成して曲面印刷用デジタル画像データを得る画像データ合成装置と、当該曲面印刷用デジタル画像データを用いて対応するデジタル画像を被印刷球体の表面に印刷する曲面印刷機とを備えている球体印刷装置によって、解決される。
【考案の効果】
【０００６】
本考案の記念ボールは、試合の当日に生産し、限定品としてのシリアル番号を入れること、試合に用いられる正式なボールに直接印刷することにより、従来の大量生産の記念ボールに比べてより高い付加価値を持っている上に、個人が撮影した写真を使用することにより、観客個人にとって唯一無二の記念品を作るという思想は、大量生産の従来の記念ボールとは視点を異にしており、消費者の潜在的な需要を汲み取った新しい形態の記念ボールである。
【考案を実施するための最良の形態】
【０００７】
以下、本考案の実施形態について、添付図面を参照しつつ、詳細に説明する。
【０００８】
図１は実施形態の球体印刷装置の概略図である。
【０００９】
球体印刷装置１０は、上面１０ａ、上部前面１０ｅ、傾斜面１０ｃ、下部前面１０ｄ、右側面（不図示）、左側面１０ｂ、背面（不図示）、底面（不図示）によって囲まれている。
【００１０】
上部前面１０ｅにはディスプレイ１８、デジタルカメラ接続端子１２ｂ、携帯電話器接続端子１２ｃ、デジタルカメラ撮影用窓１７が取り付けてある。ディスプレイ１８には、ユーザーへの操作案内を示すと共に、曲面印刷用デジタル画像データが表示される。また、必要であれば、ユーザーによって選択・入力をするためのタッチパネルとしても機能しても良い。
【００１１】
デジタルカメラ撮影用窓１７の内部には、デジタルカメラ１６またはビデオカメラが設置されており、デジタルカメラ撮影用窓１７の前に位置しているユーザーの顔等を複数ショット撮影することができる。内部のデジタルカメラ１６で撮影されたデジタル画像データが実施形態の球体印刷装置１０に内蔵されているメモリ１３ａへ送信され保存される。
【００１２】
一方、ユーザーがデジタルカメラを用いて撮影済みの場合には、デジタルカメラ接続端子１２ｂをユーザーが持っているデジタルカメラと接続すると、デジタルカメラに保存されているデジタル画像データが実施形態の球体印刷装置１０に内蔵されているメモリ１３ａへ送信され保存される。同様に、携帯電話器接続端子１２ｃとカメラ付携帯電話器を接続すると、携帯電話器に保存されているデジタル画像データが実施形態の球体印刷装置１０に内蔵されているメモリ１３ａへ伝送され保存される。
【００１３】
傾斜面１０ｃには、入力用キーボード１９とコイン・紙幣投入口２０が取り付けられている。傾斜面１０ｃは上部前面１０ｅの下端にあり、手前が低く、奥が高い傾斜を持っている。不図示のプリペイドカード読取り口を取り付けてもよい。入力用キーボード１９は球体印刷装置１０に内蔵されているＣＰＵに接続されている。
【００１４】
下部前面１０ｄには、球体取出し口２４が取り付けられている。ふたを開いて内部から印刷済み球体をユーザーは取り出すことができる。そして、下部前面１０ｄの内側には、保持装置２１と曲面印刷機２２が隣接して配置されている。保持装置２１には被印刷球体１が保持され。ＣＰＵ１４からの信号によって所定位置、所定向きに自動的に移動される。球面印刷機２２はＣＰＵ１４によって制御され、球面印刷用デジタル画像データの一部分ずつを被印刷球体１の所定部分ずつに曲面印刷し、被印刷球体１の移動と曲面印刷とを連動し繰返して、被印刷球体１への曲面印刷を完成する。曲面印刷はモノクロでもカラーでもよい。
【００１５】
左側面１０ｂには、新規の被印刷球体の装入口２３が取り付けられている。そして、左側面１０ｂの内側にはコンピューターのキーボードが配置されており、ＣＰＵ１４，グラフィック合成メモリ１５、メモリ１３ａ、１３ｂ、１３ｃが含まれている。メモリ１３ａにはユーザーが用意したデジタル画像データやデジタルカメラ１６でその場で撮影したデジタル画像データが保存される。メモリ１３ｂには、球体印刷装置１０が準備したデジタル背景画像が保存されている。もちろん、保存されているデジタル背景画像は一種類に限られるものではなく、複数のデジタル背景画像が保存されてもよい。
また、デジタル背景画像には、日時の表示やシリアルナンバーの表示が含まれていてもよい。日時の表示はＣＰＵ１４等によって、時々刻々と更新される。また、シリアルナンバーの表示は、被印刷球体への曲面印刷が完了するごとにＣＰＵ１４等によってカウンターが１ずつ増す。
【００１６】
図２〜図４は考案の実施形態の被印刷球体１を示したもので、パーフェクト・ゲーム達成記念の野球ボールである。被印刷球体１（野球ボール）の曲面に、デジタル画像データ２（パーフェクトゲームを達成した投手の写真）とデジタル背景画像データ３ａ（試合の日時等、記念ボールのタイトル）およびデジタル背景画像データ３ｂ（スコアボード）を合成して印刷し、さらに限定品であることを示す為に、設定回数５を分母とし、カウンター数４を分子としたシリアル番号が印刷されている。
【００１７】
図５〜図７に示す考案の第二の実施形態の被印刷球体は、高校野球に出場したチームや選手、観戦した応援者の為の記念ボールである。本記念ボールでは、被印刷球体１（野球ボール）の曲面にデジタル画像データ２（出場チームの団体写真、または選手の個人写真、あるいは応援者の写真）とデジタル背景画像データ３ａ（試合の日時等、記念ボールのタイトル）およびデジタル背景画像データ３ｂ（試合のスコアボード）が印刷され、さらに限定品であることを示す為、設定回数５を分母とし、カウンター数４を分子としたシリアル番号が印刷されている。
【００１８】
被印刷球体として、野球ボール（公式球）を例示したが、これに限られるものではなく、バレーボール、バスケットボール、サッカーボール等の球状物やアイスホッケーのパック等の円板物やラグビーボール等の楕円球状物であってもよい。
【産業上の利用可能性】
【００１９】
以上説明したように、本発明の曲面印刷装置を野球場、サッカースタジアム、バスケット競技場、バレーボール会場等に設置することにより、大量生産ではない数量限定かつオーダー・メイドの記念ボールを試合当日あるいは数日のうちに製作することができる。
【図面の簡単な説明】
【００２０】
【図１】実施形態の球体印刷装置の概略図である。
【図２】第１の実施形態の被印刷球体の説明図である。
【図３】第２の実施形態の被印刷球体の説明図であり、（ａ）はその平面図であり、（ｂ）はその正面図であり、（ｃ）はその底面図である。
【図４】第３の実施形態の被印刷球体の説明図であり、（ａ）はその平面図であり、（ｂ）はその正面図であり、（ｃ）はその底面図である。
【図５】第４の実施形態の被印刷球体の説明図であり、（ａ）はその平面図であり、（ｂ）はその正面図であり、（ｃ）はその底面図である。
【符号の説明】
【００２１】
１０      球体印刷装置
１０ａ    上面
１０ｂ    左側面
１０ｃ    傾斜面
１０ｄ    下部前面
１０ｅ    上部前面
１２ａ    デジタルカメラ接続端子
１２ｂ    デジタルカメラ接続端子
１２ｃ    携帯電話器接続端子
１３ａ    デジタル画像データ保存メモリ
１３ｂ    デジタル背景画像データ保存メモリ
１３ｃ    メモリ
１４      ＣＰＵ
１５      グラフィック合成メモリ
１６      デジタルカメラ
１７      デジタルカメラ撮影用窓
１８      ディスプレイ
１９      入力用キーボード
２０      コイン・紙幣投入口
２１      保持装置
２２      曲面印刷装置
２３      被印刷球体装入口
１        被印刷球体
２        デジタル画像
３ａ      デジタル背景画像
３ｂ      デジタル背景画像
４        カウンター数
５        設定回数
【図１】
0003115432.tif 000003
【図２】
0003115432.tif 000004
【図３】
0003115432.tif 000005
【図４】
0003115432.tif 000006
【図５】
0003115432.tif 000007